(57)【要約】  渦巻状に巻かれたウェブ材料（１２５）からなる少なくとも１つのロール（１２０）及び少なくとも１つのロール支持アダプター（１４０）を供給するキット（１００）と、そのキットのマーケッティング方法。ロール支持アダプターは、既存ロール保持取付具に連結して、ロールホルダーの単一ロール容量を増大し、及び渦巻状に巻かれたウェブ材料のロールを保持して分配する。キットは、既存ロール保持取付具の容量より大きい直径を有するロールを供給することができる。
2007519582.tif 000002
【特許請求の範囲】
【請求項１】
ロールに巻かれたウェブ材料を供給するためのキットであって、
ａ）渦巻き状に巻かれたウェブ材料からなる少なくとも１つのロールと、
ｂ）前記ロールを支持可能であると共にロール保持取付具に接合可能である、少なくとも１つのロール支持アダプターと、
からなる構成要素を含むことを特徴とするキット。
【請求項２】
前記巻かれたウェブ材料が、幅と前記幅を概ね横切り間隔を置いて配置される弱化線を有する、請求項１に記載のキット。
【請求項３】
前記ロール及び前記ロール支持アダプターが、単一のパッケージ中で供給される、請求項１に記載のキット。
【請求項４】
前記ロール支持アダプターが、前記パッケージ用の持ち運びハンドルを構成する、請求項１に記載のキット。
【請求項５】
少なくとも１つのキット構成要素が、証印を有する、請求項１に記載のキット。
【請求項６】
渦巻き状に巻かれたウェブ材料を供給する方法であって、
ａ）渦巻き状に巻かれたウェブ材料からなる少なくとも１つのロールを準備する工程と、
ｂ）既存ロール保持取付具に接合可能であると共に前記渦巻き状に巻かれたウェブ材料からなる前記ロールを支持可能である、少なくとも１つのロール支持アダプターを準備する工程と、
ｃ）特徴として、前記ロール及び前記ロール支持アダプターをキットの構成要素として供給する工程と、
を含む方法。
【請求項７】
前記ロールを構成するウェブ材料の量に関する情報を提供する工程を含む、請求項６に記載の方法。
【請求項８】
前記ロール支持アダプターを含むことと前記ロール支持アダプターの使用とに関する情報を提供する工程を含む、請求項６に記載の方法。
【請求項９】
少なくとも１つのキット構成要素に証印を記す工程を含む、請求項６に記載の方法。
【請求項１０】
前記ロール及び前記ロール支持アダプターをキットとして供給する前記工程が：
材料の少なくとも１つのロールを含む第一のパッケージを準備する工程と、
少なくとも１つのロール支持アダプターを含む第二のパッケージを準備する工程と、
前記第一のパッケージ及び前記第二のパッケージを、前記第一のパッケージの費用又は前記第二のパッケージの費用のいずれかで入手できる手段を提供する工程と、
を含む、請求項６に記載の方法。
【発明の詳細な説明】
【技術分野】
【０００１】
本発明は、巻かれたロールのウェブ材料を買い物客及び消費者へ供給することに関する。特に、本発明は、大直径ロールのウェブ材料をアダプターと共に供給して、大直径ロールのウェブ材料を既存のロール保持取付具から分配することを容易にすることに関する。
【背景技術】
【０００２】
プラスチックラップ、アルミニウムフォイル、ごみ袋、トイレットペーパ、及び紙タオルなどのウェブ材料は、よく知られている。これらの材料は、ウェブ材料の渦巻きロールとして通常供給される。材料のロールは、ロール保持取付具の水平向きのスピンドル上に配置されて、ロールの回転と材料の分配をして、使用を容易にすることができる。
【０００３】
必ず、ロール材料が使い尽くされて、ロールは、次のロールと交換されなければならない。材料の大直径ロールは、ロール当たりの材料の量の増加とこれに伴うロール交換の間の時間増の効果を提供することができる。これらの増加容量ロールの大直径は、既存ロール保持取付具の限定された容量のために、問題を起こすおそれがある。既存設備は、ある直径範囲の端から端までロールを保持して分配できるが、この範囲は限られている。例として、１２．２ｃｍ（４．８インチ）を超える直径を有するトイレットペーパロールは通常、普通に取り付けられたトイレットペーパロール保持取付具により収容可能な範囲の上限、又はその外側である。これらのロールは、既存ホルダーに嵌らないか、又は充分なペーパがロールから取り去られてロール保持取付具が収容可能な直径までロール直径が減少されるまで、トイレットペーパを有効に分配しないかのいずれかである。
【発明の開示】
【発明が解決しようとする課題】
【０００４】
増加容量の大直径巻きロールの消費者製品を有効に市場に出せるかは、少なくとも部分的に、そのより大きなロール直径を消費者が受け入れるかに依存する。この消費者の受け入れは、今度は、少なくとも部分的に、大直径ロールを保持できる及びウェブ材料をロールから分配できる容易さによって決まる。有効に保持して分配が可能なロール直径範囲を増大する１つの方法は、既存ロール保持取付具を取り替えることである。別の方法は、大直径ロールを受け入れるように既存ロール保持取付具を適合させることである。消費者は多分、既存ロール保持取付具の交換を必要としない、より大きな直径のロール製品を試みようとするだろう。したがって、本発明は、消費者用ウェブ材料の大直径ロールの受け入れと使用を可能にする手段を提供することを追及するものである。
【課題を解決するための手段】
【０００５】
キットが、渦巻状に巻かれたウェブ材料からなる大直径ロールのマーケッティング及び使用を促進する。キットは、一実施形態では、ウェブ材料の渦巻きロール及びロール支持アダプターを含む。ロールの直径は、標準ロールより大きく、及び既存ロール保持取付具の容量より大きくて、標準ロールで供給されるものより大量のウェブ材料を供給することができる。ロールは、通常のコアよりも小さなもの、又は全くコア無しで供給して、ロールの容量を更に増大してもよい。ロール支持アダプターが、そのロールを既存ロールホルダーで使用することを容易にする。ロール支持アダプターは、既存ロールホルダーの単一ロール容量を増大することができる。ロール支持アダプターは、既存ロールホルダーに固定して又は解除可能に取り付けできる。別の実施形態では、キットは、ウェブ材料の複数のロールと、少なくとも１つのロール支持アダプターとを含む。別の実施形態では、キットは、複数のロール支持アダプターと、ウェブ材料の少なくとも１つのロールとを含む。
【０００６】
別の態様では、ウェブ材料の大直径ロールをマーケッティングする方法を含む。上述のようにキットを供給することに加えて、様々な形態の広告、及び販売点資料が使用されて、ロール当たりで増大されたウェブ材料の量について、及びより大きなロールを既存ロール保持取付具で使用することを容易にするために、ロール支持アダプターを含むことについて、買い物客に告知することができる。ロール支持アダプターの取り付け及び使用も、パッケージ上及び／又は販売点資料中で例示及び説明することができる。これらのステップが、キット内容物の効果及び使用について、買い物客への教示を手助けすることができる。大直径ロールのマーケッティングは更に、ロール支持アダプターを既に入手した買い物客による進行中のロール購入及び使用を可能にするために、付随するロール支持アダプター無しで、大ロールを個別で及び複数ロールパック中で供給することを含んでもよい。マーケティング方法は更に、買い物客が所望の数のロール支持アダプターを購入することを可能にするために、個別又は複数アダプターのロール支持アダプターパック中でロール支持アダプターを供給するステップを含んでもよい。
【発明を実施するための最良の形態】
【０００７】
本明細書の特許請求の範囲は、本発明の主題を特定して指摘し明確に請求しているが、本発明は、添付図面と共に読まれる次の本発明の詳細説明を考慮してより良く理解されると考えられ、図面中において、幾つかの図で対応する特徴は同一に表される。
【０００８】
キット：
本発明のキットは、いかなる渦巻状に巻かれたウェブ材料を供給するのにも使用することができる。本発明の次の説明は、トイレットペーパの渦巻きロールを供給する点からなされる。本発明は、トイレットペーパの供給に限定されると解釈すべきでなく、並びにプラスチック又は金属フィルム、いかなるタイプのウェブ材料にても形成された袋、他の等級のペーパウェブ、及び類似ウェブ材料の供給に使用されてもよい。図１に示すように、キット１００は、渦巻状に巻かれたウェブ材料１２５からなる少なくとも１つのロール１２０と、ロール支持アダプター１４０を備える。ロール１２０は、中空コア１３０の周りに巻かれてもよく、又はコア無しでもよい。ウェブ材料１２５は更に、消費者がロール１２０の一部を分配することを容易にするために、弱化線１２６をウェブ材料１２５の幅を横切って有してもよい。これらの弱化線１２６は、当技術分野において周知であり、本明細書で更なる説明はしない。
【０００９】
トイレットペーパの場合、ロール１２０の直径は、約１０．２ｃｍ（４インチ）〜約３０．５ｃｍ（１２インチ）とすることができる。一実施形態では、ロール１２０の直径は、キット１００に提供されたロール支持アダプター１４０のタイプに相応して、約１２．７ｃｍ（５インチ）〜約２０．４ｃｍ（８インチ）とすることができる。他のロール直径が、他のロール支持アダプター１４０の設計に対応して、又は消費者の必要性及び／若しくは販売者の望みに対応して、提供されてもよい。ロール１２０の直径は、既存ロール保持取付具が受けいれ可能な最大単一ロール直径より大きくてもよい。既存ロール保持取付具が受けいれ可能な最大単一ロール直径とは、設備の単一ロール容量と考えられている。
【００１０】
一体化されたキット１００は、少なくとも部分的にパッケージ１１０に包まれてもよい。パッケージ１１０は、ポリマーか、マイラー（Mylar：商標）か、セルロース系、若しくは金属被覆されたフィルム、板紙若しくは波形化された厚紙容器、又は当該技術分野において既知の他の容器を含んでもよい。パッケージ１１０の材料は、証印を上に印刷、エンボス加工、又は他の方法で記すことが可能であってもよい。キット１００は、ウェブ材料１２５の複数のロール１２０を含んでもよい。複数のロール１２０は、単一若しくは複数の縦列で縦に積み重ねられてもよく、又は平面状配列に配置されてもよい。非限定的な例として、キットは、縦列当たり３本のロール１２０で４列に設けられた１２ロールのウェブ材料を含んでもよい。別の実施形態では、単一のロール１２０が、ロール１２０のコア１３０内に配置された、又は別の方法でロール１２０に取り付けられた、ロール支持アダプター１４０を備えてもよい。
【００１１】
図１に示す実施形態では、ロール支持アダプター１４０は、アダプター容器１４６の中に配置されている。図に示すように、アダプター容器１４６及びロール支持アダプター１４０は共に、ロール１２０の中空コア１３０の中に配置される。この実施形態では、アダプター容器１４６は、コア１３０の端部に解除可能に取り付けられた１つ以上のカバー１３２により、中空コアの中に束縛されてもよい。カバー１３２は、消費者により取り外されて、ロール支持アダプター１４０及びロール１２０を次に取り付けて使用するために、アダプター容器１４６及びロール支持アダプター１４０のコア１３０からの取出しを容易にしてもよい。カバー１３２は、接着手段により、コア１３０との機械的結合により、又は当該技術分野において既知の他の締結手段により、コア１３０及びロール１２０に取り付けられてもよい。１つのカバー１３２が、アダプター容器１４６に取り付けられて、パッケージ１１０内での容器の位置を安定化させてもよい。ロール支持アダプター１４０が、アダプター容器１４６無しで、ロール１２０のコア１３０の中に配置されてもよい。
【００１２】
アダプター容器１４６は、三角形、四辺形、五角形、六角形、七角形、八角形、又は他の規則的な幾何断面を有する、正角柱とすることができる。別の実施形態では、アダプター容器１４６は、不規則断面を有してもよい。アダプター容器１４６は、ロール支持アダプター１４０の移動を抑制するために、一端又は両端で閉止されてもよい。アダプター容器１４６は、紙、ボール紙、波形化された厚紙、金属、プラスチックフィルム、金属フォイル、又は他の包装材料で形成された袋を含んでもよい。アダプター容器１４６の材料は、証印を印刷されても、エンボス加工されても、又は他の方法で記されてもよい。アダプター容器１４６は、ロール支持アダプター１４０がアダプター容器１４６から無意図的に取り出されるのを防ぐために、封止されていてもよい。アダプター容器１４６の長さは、ロール支持アダプター１４０のアダプター容器１４６内での配置を容易にするために、ロール支持アダプター１４０がロール支持アダプター１４０の軸線に沿って圧縮されることを必要としてもよい。別の実施形態では、アダプター容器１４６は、ロール支持アダプター１４０より長くてもよい。この実施形態では、ロール支持アダプター１４０は、ロール支持アダプター１４０の軸線に沿って圧縮されずに、アダプター容器１４６の中に配置可能である。
【００１３】
キット１００の図２に示される一実施形態では、ロール支持アダプター１４０は、パッケージ１１０の持ち運びハンドルとして組み込まれてもよい。一実施形態では、ロール支持アダプター１４０は、ロール１２０とアダプター１４０を伸縮ラップフィルムに包み込むことにより、ロール１２０に固着されてもよい。別の実施形態では、ロール支持アダプター１４０は、当該技術分野において既知の収縮包装フィルムの使用を通じて、ウェブ材料のロール１２０に固着されてもよい。別の実施形態では、ロール支持アダプター１４０は、針金、紐、コード、又はポリマーストラップによりロール１２０に付着されてもよい。更に別の実施形態では、ロール支持アダプター１４０は、接着又は粘着材料によりロール１２０に付着されてもよい。当該技術分野において既知の他の結合手段も又、ロール支持アダプター１４０とロール１２０を組み合わせるために使用されてもよい。キット１００は、複数のロール支持アダプター１４０を含んでもよい。
【００１４】
一実施形態では、ロール支持アダプター１４０は、キット１００を構成する複数のロール１２０又はロール１２０の複数の縦列の間の割れ目領域に配置されてもよい。ロール支持アダプター１４０は、上の説明のようなアダプター容器１４６内に配置されてもよく、又はアダプター容器１４６無しでパッケージ１１０内に配置されてもよい。アダプター容器１４６は、上の説明のような規則的な角柱又は袋であってもよい。アダプター容器１４６は、図３Ａに示されるような２つのロール又はロール１２０の縦列の間の割れ目に配置されてもよい。図３Ｂに示される別の実施形態では、アダプター容器１４６は、３つのロール１２０、又はロール１２０の３つの縦列の間の割れ目に配置されてもよい。図３Ｃに示される別の実施形態では、アダプター容器１４６は、４つのロール１２０、又はロール１２０の４つの縦列の間の割れ目に配置されてもよい。
【００１５】
図４は、既存ロール保持取付具６０に取り付けられたロール支持アダプター１４０により支持される、ウェブ材料のロール１２０を示す。ロール１２０の直径により、既存ロール保持取付具６０がロール１２０を保持するのを、又はウェブ材料１２５の分配のためにロール１２０を回転させるのを妨げられることがある。図４は、ロール１２０の回転及びウェブ材料１２５の分配を容易にするためにロール１２０と共に供給された、ロール支持アダプター１４０の使用を示している。ロール支持アダプター１４０は、既存ロール保持取付具６０に連結することができ、及び同時にロール１２０を支持することができる。
【００１６】
キット１００は、ロール支持アダプター１４０を少なくとも部分的に包むアダプター容器１４６と共に、ウェブ材料１２５の少なくとも１つのロール１２０を少なくとも部分的に包むパッケージ１１０を含んでもよい。アダプター容器１４６は、接着剤若しくは熱接着により、ステープル、針金、紐、コード、ストラップ、又は他の締結具などの機械的結合により、パッケージ１１０に結合されてもよい。パッケージ１１０と容器１４０は、その組合せを伸縮又は収縮フィルムで上包みすることにより一体化されてもよい。
【００１７】
ロール：
ロール１２０は、いかなる渦巻状に巻かれたウェブ材料１２５を含んでもよい。ウェブ材料は、証印を形成、印刷、エンボス加工、又は他の方法で記されてもよい。ウェブ材料１２５は、コア１３０の周りに巻かれてもよい。コア１３０は、押し出された熱可塑性樹脂、板紙又は他の可撓性材料からなる１つ以上の層の巻かれた又は重ね合わされた筒、木材、金属、ガラス、又は複合材料のスリーブを含んでもよい。ウェブ材料１２５は、コア１３０に接着されても、又はコア１３０への接着なしでコア１３０上に巻かれてもよい。別の方法としては、ロール１２０は、コア１３０無しでそれ自体の周りに巻かれたウェブ材料１２５を含んでもよい。ロール１２０のテールは、当技術分野において既知のように封止されても、されなくてもよい。ロールの直径は、ウェブ材料１２５について通常のものであってもよい。あるいは、ロールの直径は、通常より大きくても、及び特定のウェブ材料１２５に対して典型的な既存ロール保持取付具６０により収容可能な最大直径より大きくてもよい。
【００１８】
アダプター：
ロール支持アダプター１４０は、既存ロール支持設備６０に連結して、ウェブ材料１２５のロール１２０に支持を提供する。ロール支持アダプターは、ロール支持設備の単一ロール容量を増大させることができる。ロール支持アダプター１４０は、既存ロール保持取付具６０に固定して取り付けられても、又は解除可能に取り付けられてもよい。図５Ａに示すように、ロール支持アダプター１４０は、ロール１２０のコア１３０のそれぞれの端部に直接係合することにより、ロール１２０を支持してもよい。典型的な既存ロール保持取付具６０は、スピンドルを介してロールのコアに係合する。ロール支持アダプター１４０は、ロール１２０のコア１３０の端部に係合してこれによりロール１２０を支持する、ばね搭載又は重力作動式のコア係合延長部１４８を備えてもよい。これらのコア係合延長部１４８は、消費者がロール１２０の交換を望む時、コア１３０との係合を解くことができる。
【００１９】
図５Ｂに示す別の実施形態では、ロール支持アダプター１４０は、ロール１２０をそのコア１３０を通して支持可能な支持スピンドル１５０に係合することにより、ロール１２０を支持してもよい。スピンドル１５０は、ロール支持アダプター１４０の一部としてロール１２０と共に供給されてもよく、又は消費者が所有する既存のスピンドル１５０であってもよい。この実施形態では、ロール支持アダプター１４０は、複数の延長要素１４４を備えてもよい。既存ロール保持取付具６０の別個の部分に固定して又は解除可能に取りつけ可能なそれぞれの延長要素１４４を。延長要素１４４は、接着剤の使用により、延長要素１４４の設備６０との機械的係合により、リベット若しくはねじなどの機械的締結具により、又は当該技術分野において既知の他の締結手段により、既存ロール保持取付具に取り付けられてもよい。
【００２０】
図５Ｃに示す別の実施形態では、ロール支持アダプター１４０は、ロール支持スピンドルとして機能し、且つ既存ロール保持取付具６０に解除可能に係合してもよい。このアダプター１４０は、第一及び第二の端部を有するスピンドル部分１４１と、スピンドル部分１４１の各端部上の延長部１４３とを備えてもよい。延長部１４３は、スピンドル部分１４１の軸線に概ね垂直であってもよい。延長部１４３は、スピンドル部分１４１からある距離で、既存ロール保持取付具６０に固定して又は解除可能に係合してもよい。スピンドル部分１４１の軸線と既存ロール保持取付具６０への係合点との間の延長部１４３の長さによって、ロール支持点がオフセットされて、ロール支持アダプター１４０無しで既存ロール保持取付具６０を使用する時に可能なものよりも大きな直径のロール１２０の使用が可能になる。
【００２１】
この実施形態では、ロール支持アダプター１４０は、スピンドル部分１４１の軸線に沿ってばね搭載されて、延長部１４３を互いに遠くへ片寄らせ、これにより外向き方向の力を既存設備６０に向かって提供して、延長部１４３の設備６０との係合を維持してもよい。別の実施形態では、ロール支持アダプター１４０は、延長部１４３の間のスピンドル部分１４１の長さに関して機械的に調整可能であってもよい。この機械的調整は、ねじ手段又はスピンドル部分１４１の変化して連結する部分からなる他の手段により成し遂げて、ロール支持アダプター１４０の延長部１４３の間に異なる長さを達成してもよい。これらの実施形態において、延長部の材料は、ロール支持アダプター１４０の既存設備６０への取付け、及びこれからの取外しの間に内向きに撓ませるために、弾力性であってもよい。
【００２２】
図６に示す別の実施形態では、ロール支持アダプター１４０は、既存ロール保持取付具６０に接合可能であって、及びウェブ材料１２５のコア付き又はコア無しロール１２０を支持可能であってもよい。この実施形態のロール支持アダプター１４０は、ロール１２０の円周表面１２２を支持することにより、ロール１２０の回転及びウェブ材料１２５の分配を容易にする。ロール支持アダプター１４０は、既存ロール保持取付具６０とも係合する。
【００２３】
図７に示す別の実施形態では、ロール支持アダプター１４０は、既存ロール保持取付具６０に固定して又は解除可能に取り付けられ、及びロール１２０のコア１３０によりロール１２０を解除可能に支持可能、又はロール支持スピンドル１５０に解除可能に係合可能であってもよい。この実施形態では、ロール支持アダプター１４０は、既存ロール保持取付具６０に係合して、設備６０との係合とロール１２０の重量の組合せとにより第一の位置に保持されてもよい。次のロール１２０との交換を待ってロール１２０が取り外されている時、ロール支持アダプター１４０は、ロール支持アダプター１４０に作用するロール１２０の重量がないので、第二の位置に旋回してもよい。この実施形態では、第二の位置によって、ロール１２０の交換が容易になってもよい。この実施形態では、ロール支持アダプター１４０は、延長部１４９を備える。延長部１４９は、ロール１２０のコア１３０に直接係合するように、又はスピンドル１５０を介してコアに係合するように適合されていてもよい。
【００２４】
ロール支持アダプター１４０は、ウェブ材料１２５と共に使用するための、又はウェブ材料１２５から離れて使用するための、ローション又は他の物質を分配するように構成されていてもよい。ローションは、重力法により分配されても、又はポンプの使用により分配されてもよい。ポンプは、機械的に作動されても、又は電気的に作動されてもよい。ロール支持アダプター１４０は、消費者の思うままに匂いを放出する、又は連続的に匂いを放出するように構成されていてもよい。別の実施形態では、アダプターは、ロール１２０の動きを感知可能、及び動きの開始時に、持続時間中に、若しくは停止時に、又はこれらの組合せで匂いを放出可能であってもよい。ロール支持アダプター１４０は、永久的又は選択的に通気して匂いを放出する匂い要素を備えてもよい。別の実施形態では、ロール支持アダプター１４０は、匂い貯層に連結された機械的又は電気的に作動するポンプを備えてもよい。ポンプは、消費者の思うままに、上述のようにロール１２０の動きを感知すると、又は両方で活性化されてもよい。
【００２５】
ロール支持アダプター１４０は、金属、ガラス、木材、高分子材料、炭素繊維複合材料、及びその他の複合材料を包含する広い範囲の材料で構成できるが、これらに限定されない。アダプターの材料は、証印をエッチングされても、印刷されても、機械加工されても、成型されても、又は他の方法で記されてもよい。ロール支持アダプター１４０は、広い範囲の色及び表面パターンで提供されてもよい。上述したロール支持アダプターのいかなるものも、並びに当該技術分野において既知の他のロール支持アダプターが、キット１００の構成要素部品として提供されてもよい。
【００２６】
キットは、説明されたような１つ以上のキット構成要素の上に証印を有してもよい。図２に示されるような証印１６０は、類似であっても、異なってもよい。外観又は性質が関連する証印１６０は、類似とする。類似する証印は同一であってもよい。証印１６０は、ブランド名又はウェブ材料１２５若しくはロール支持アダプター１４０についての他の情報を伝達してもよい。
【００２７】
上述したロール支持アダプターの実施形態は代表例であって、本発明を限定するものではないことを、当業者は理解されるであろう。
【００２８】
マーケティング方法：
マーケティング方法は、一実施形態では、ウェブ材料１２５の大容量ロール１２０をロール支持アダプター１４０と共に供給して、ウェブ材料１２５の便利及び能率的な分配を容易にするためのステップ群を含む。ロール支持アダプター１４０及びロール１２０は、キット１００中で共に供給されてもよい。キット１００は、ウェブ材料１２５の単一ロール１２０を供給してもよく、又はウェブ材料１２５の複数ロール１２０を供給してもよい。キット１００は、単一のロール支持アダプター１４０を供給してもよく、又は複数のロール支持アダプター１４０を供給してもよい。ロール１２０及びロール支持アダプター１４０は、大きな容量及び直径のロール１２０のいずれかの既存ロール保持取付具６０との適合性に関する買い物客の懸念を緩和するために、共に供給されてもよい。
【００２９】
マーケティング方法は、渦巻きロール１２０として消費者に供給される、いかなるウェブ材料の販売にも用いることができる。代表的なウェブ材料は、トイレットペーパ、紙タオル、包肉用紙（butcher paper）のような硬質等級紙、ポリマーフィルム、金属皮膜されたフィルム、アルミニウムフォイル、及びその他の金属フォイルを包含する。袋などのそのようなウェブ材料で作成された製品も又、マーケティング方法を用いることを通じて、渦巻きロール１２０として供給されてもよい。ウェブ材料１２５は、弱化線１２６を有してもよく、これは、そのような弱化線１２６が当技術分野において既知のように、ウェブ材料１２５の幅に概ね横断方向である。
【００３０】
キット１００のマーケティングは、ロール１２０の増大された材料容量についての情報提供を含むことができる。情報は、視覚的でも、聴覚的でも、触覚的でもよい。大直径ロールを既存ロール保持取付具で使用できるようにするロール支持アダプター１４０の供給及び使用が、販売点において及びキット１００に関連する他の広告コピー中で、聴覚にて、図式にて、文字にて、及び／又は触感にて説明されてもよい。ロール支持アダプター１４０の供給及び使用は、キット１００のパッケージ１１０上で例示及び／又は記述されてもよい。
【００３１】
マーケティング方法は更に、様々なメディアチャンネルを通じる広告を含んでもよく、これには、印刷、ダイレクトメール、テレビ、インターネット、及びラジオが含まれるが、これらに限定されない。宣伝コピーが、大容量ロール１２０の有用性、そのようなロールの消費者利益、及びロール支持アダプター１４０がロール１２０と共に含まれているので大直径ロール１２０の使用が容易になることの情報を含んでもよい。
【００３２】
マーケティング方法は、キット１００を一体化パッケージ中で供給することに加えて、ロール１２０及びロール支持アダプター１４０を別個の購入可能品目として供給することを含んでもよい。別個の品目を供給することにより、所望数のロール支持アダプター１４０を入手する、及び必要に応じてウェブ材料１２５の追加ロール１２０又は追加ロール支持アダプター１４０を入手するようなふうに、買い物客が購入品を仕立てることが可能になる。
【００３３】
マーケティング方法は、ロール１２０及びロール支持アダプター１４０を有効キットの形態で提供することを含んでもよい。有効キットの提供とは、ロール１２０及びアダプター１４０を単一の一体化パッケージ１１０中で供給するのではなくて、ロール支持アダプター１４０及び少なくとも１つのロール１２０を買い物客に提供することを記述する。一実施形態では、有効キットは、ウェブ材料１２５のロール１２０のパッケージと共にクーポン又は引換券を提供することにより、提供されてもよい。クーポン又は引換券は、次に買い物客により使用されて、追加費用無しでロール支持アダプター１４０を入手されてもよい。別の実施形態では、有効キットは、ロール支持アダプター１４０と共にクーポン又は引換券を提供することにより、提供されてもよい。この実施形態では、クーポン又は引換券は、次に買い物客により使用されて、追加費用無しで少なくとも１つのロール１２０を入手されてもよい。更に別の実施形態では、クーポン又は引換券は、ダイレクトメールを通して、販売点のマーケティング展示の一部として、インターネットを介して、又は買い物客がロール１２０を購入すると追加費用無しにロール支持アダプター１４０の入手を可能にする、若しくは代わりにロール支持アダプター１４０を購入すると追加費用無しにロール１２０の入手を可能にする他の手段により、潜在的買い物客に提供されてもよい。
【００３４】
可能性がある最大の市場セグメントの消費者に大直径ロール１２０の利益を提供するために、様々なキット１００を販売することが可能である。この多様性の中には、異なる設計及び／又は色及び／又は材料のロール支持アダプター１４０を含むキット１００が包含されてもよい。様々な匂いの間で又は消費者が選定する単一の匂いを提供する手段を備えるロール支持アダプター１４０が供給されてもよい。ウェブ材料１２５と共に使用する又はウェブ材料１２５から離れて使用するいずれかのために、ローション又は他の物質の分配が可能である、任意のロール支持アダプター１４０が供給されてもよい。
【００３５】
マーケティング方法は、キット１００の１つ以上の構成要素に証印１６０を追加する任意のステップを含んでもよい。一実施形態では、類似の証印１６０が、ロール支持アダプター１４０、アダプター容器１４６、ロール１２０、ウェブ材料１２５、及びパッケージ１１０に固着されてもよい。証印１６０は又、販売点マーケティング資料並びに広告コピーに使用されてもよい。図２は、ロール支持アダプター１４０及びウェブ材料１２５への類似証印１６０の追加を示す。別の実施形態では、類似でない証印１６０が、キット１００の異なる構成要素上に設けられてもよい。
【００３６】
証印１６０は、ロール支持アダプター１４０の１つ又はより多くの表面に成型されてもよい。一実施形態では、証印１６０は、当該技術分野において既知のように、ロール支持アダプター１４０に又は他のキット１００の構成要素の上に固着されるラベル上に印刷されてもよい。証印１６０は、ロール支持アダプター１４０の１つ又はより多くの表面上に印刷されてもよい。証印１６０が、アダプター容器１４６、パッケージ１１０、及びコア１３０の１つ又はより多くの表面に印刷、エンボス加工、又は他の方法で固着されてもよい。
【００３７】
一実施形態では、証印１６０が、ウェブ材料１２５にエンボス加工されてもよい。別の実施形態では、証印１６０は、ウェブ材料上に印刷されてもよい。更に別の実施形態では、証印１６０は、当該技術分野において既知のように、ウェブ材料が製造される時に、ウェブ材料１２５に形成されてもよい。
【００３８】
類似する証印１６０を使用すると、構成要素の全てを共に消費者の心に結び付けることに役立つ。証印１６０は又、ウェブ材料１２５の追加ロール１２０及び／又は追加ロール支持アダプター１４０を購入しようとしている買い物客のための参照点としても役立つ。証印１６０は、図的表現でも、ブランド名でも、又は２つの組合せでもよい。特定の製品を競合製品から区別するために、及び／又は製品の特徴を表示するために、証印１６０の一部として色を採用してもよい。代表的な証印１６０として、オハイオ州シンシナティ（Cincinnati Ohio）のプロクターアンドギャンブル社（The Procter & Gamble Company）に所有されるブランド名シャーミン（Charmin：登録商標）がある。このブランド名は、キットの構成要素を統一するために、単一で又は熊などのブランドシンボルと組合せで使用されてもよい。
【００３９】
例として、ブランド名及びシンボルが、ロール支持アダプター１４０に成型されてもよい。ブランド名及びシンボルは、キットのパッケージ１１０、並びにアダプター容器１４６及びコア端部カバー１３２などの他のキット構成要素の上に印刷されてもよい。ブランド名及びシンボルは、ウェブ材料１２５上に印刷されてもよい。ブランド名及び／又はシンボルは又、販売点における及び他のメディア出口を通じて両方で、キットのマーケティングに含まれる広告コピー中に出現してもよい。
【００４０】
「発明を実施するための最良の形態」で引用したすべての文献は、関連部分において本明細書に参考として組み込まれているが、どの文献の引用も、それが本発明に関する先行技術であるとの容認と解釈されるべきではない。
【００４１】
本発明の特定の実施形態を説明及び記載したが、本発明の趣旨及び範囲から逸脱することなく、様々な他の変更及び修正が可能であることは、当業者であれば明らかであったであろう。それ故に、添付の請求項は、本発明の範囲内にある全てのそのような変更及び修正に及ぶことを意図するものである。
【図面の簡単な説明】
【００４２】
【図１】本発明の１つの実施形態によるキットの内容物の模式図。
【００４３】
本図のキットは、キットの内容物をより明瞭に示すために、部分的に切り欠いて示される。
【図２】本発明の実施形態によるキットの概略側面図。
【図３Ａ】本発明の別の実施形態によるキットの概略断面図。
【図３Ｂ】本発明の別の実施形態によるキットの概略断面図。
【図３Ｃ】本発明の更に別の実施形態によるキットの概略断面図。
【図４】既存ロールホルダー、本発明によるロール支持アダプター、及びウェブ材料のロールの概略側面図。
【図５Ａ】既存ロールホルダー、本発明の１つの実施形態によるロール支持アダプター、及びロールの概略正面図。本図は、ロールを貫く断面図付きで示す。
【図５Ｂ】既存ロールホルダー、本発明の別の実施形態によるロール支持アダプター、及びロールの概略正面図。本図は、ロールを貫く断面図付きで示す。
【図５Ｃ】既存ロールホルダー、本発明の別の実施形態によるロール支持アダプター、及びロールの概略正面図。本図は、ロールを貫く断面図付きで示す。
【図６】既存ロールホルダー、本発明の別の実施形態によるロール支持アダプター、及びロールの概略正面図。
【図７】既存ロールホルダー、本発明の１つの実施形態によるロール支持アダプター、及びウェブ材料のロールの概略側面図。
【図１】
2007519582.tif 000003
【図２】
2007519582.tif 000004
【図３Ａ】
2007519582.tif 000005
【図３Ｂ】
2007519582.tif 000006
【図３Ｃ】
2007519582.tif 000007
【図４】
2007519582.tif 000008
【図５Ａ】
2007519582.tif 000009
【図５Ｂ】
2007519582.tif 000010
【図５Ｃ】
2007519582.tif 000011
【図６】
2007519582.tif 000012
【図７】
2007519582.tif 000013
【国際調査報告】
2007519582.tif 000014
2007519582.tif 000015